(57)【特許請求の範囲】
【請求項１】
上端表面が床面と略面一となるように埋設されるケース内に、略半円形の回転子を床面下に収容した格納状態と床面上に突出した使用状態とに反転可能に軸支し、その回転子へ向けて進退可能に取り付けたロック部材により前記格納状態と使用状態とにそれぞれ固定するようにし、その回転子の使用状態で開放された回転式扉の閉動を阻止するようにした回転式扉の開放保持装置において、
上記ロック部材は、ケース内の一側部に設けた案内部材により回転子へ向けて水平方向に進退動するように取り付け、その上面部が、ケースの上端表面に略面一な操作面と該操作面より一段低くケースの上端裏面に摺接する塞ぎ面とにより構成されることを特徴とする回転式扉の開放保持装置。
【請求項２】
上記案内部材が、ケース内一側部の対向する内面に接合されて上端に水平なガイド面を有する支持板であり、その両支持板のガイド面上にロック部材の段差状載せ面を載置せしめたことを特徴とする請求項１記載の回転式扉の開放保持装置。
【発明の詳細な説明】
【技術分野】
【０００１】
本発明は、回転式扉の開放保持装置に関し、詳しくは、スイングドアや回転スライドあるいはスライド・スイングドアなどのように所定角度を回転して開閉動する開き戸の回転式扉を、その開放された状態にて保持させる装置に関する。
【背景技術】
【０００２】
従来、この種の開放保持装置として特許文献１に示すように、上端表面が床面と略面一となるように埋設されるケース内に、略半円形の回転子を床面下に収容した格納状態と床面上に突出した使用状態とに反転可能に軸支し、その回転子へ向けて進退可能に取り付けたロック部材により前記格納状態と使用状態とにそれぞれ固定するようにし、その回転子の使用状態で開放された回転式扉の閉動を阻止するようにした装置が知られている。この従来装置の具体的構造は、特許文献１の図３および図４から知れるように、回転子１１へ向けて進退動するロック部材１７が、その下端を水平軸１８により枢支された構造、すなわちロック部材１７はその下端の水平軸１８を支軸として上部が揺動することにより回転子１１へ向けて進退動する構造である。
【０００３】
【特許文献１】特開平９−４３０６号公報
【発明の開示】
【発明が解決しようとする課題】
【０００４】
しかるに、上記従来装置においては、ロック部材１７が揺動方式であるために、円滑な揺動の確保および簡易な寸法合わせの必要からロック部材１７とケース１２の上端部とが離間した構造となっている。そのため、回転子１１をケース１２内に収容した格納状態（図３の状態）および回転子１１をケース１２から突出させた使用状態（図４の状態）のいずれにおいても、ロック部材１７とケース１２の上端部との間に隙間が形成されることになる。
この種の開放保持装置は工場などの出入口の屋外床面に設置されることもあるが、その場合に、前記の隙間が存在するために、そこから雨水や埃などがケース内に浸入するおそれがあり、特に不使用時である格納状態が長期に亘ると浸入した雨水や埃などの影響でロック部材１７の操作、つまりロック部材を回転子１１から進退動させる操作を円滑に行うことができないなど使用上及び耐久上の不具合がみられた。
【０００５】
本発明は上記従来不具合を解消するため、ケース内に雨水や埃等が入り込むことを防止することにより、使用上の便益を高めるとともに耐久性を向上させることができる回転式扉の開放保持装置を提供することを目的とする。
【課題を解決するための手段】
【０００６】
斯る本発明の開放保持装置は、上記ロック部材が、ケース内の一側部に設けた案内部材により回転子へ向けて水平方向に進退動するように取り付けられており、そのロック部材の上面部が、ケースの上端表面に略面一な操作面と該操作面より一段低くケースの上端裏面に摺接する塞ぎ面とにより構成されることを特徴とする。このロック部材は、回転子が格納状態または使用状態にあっては回転子に係止して当該状態に固定しており、操作面を押し動かして回転子から離間させる方向へ退動させることにより回転子との係止が解除される。そして、ロック部材が進退動する間はもちろん、回転子の格納状態または使用状態においても塞ぎ面がケースの上端裏面に当接しているので、ロック部材の操作面とケースの上端部との間は、常に閉塞された状態が維持されている。
【０００７】
上記案内部材は、ロック部材を回転子へ向けて水平移動させる構造であれば特に制限されるものではないが、簡易で有効な構造として、ケース内一側部の対向する内面に接合されて上端に水平なガイド面を有する支持板とし、その両支持板のガイド面上にロック部材の段差状載せ面を載置せしめるようにする。
【発明の効果】
【０００８】
本発明によれば、回転子の格納状態または使用状態のいずれにおいても、ロック部材の操作面とケースの上端部との間が常に閉塞されているので、この開放保持装置を屋外に設置した場合においてもケース内に雨水や埃などが浸入するおそれがなく、ロック部材を円滑に操作させる使用上の便益を確保することができるとともに耐久性を向上させることができる。また、案内部材として、支持板によりロック部材の段差状載せ面を支持する構造としたので、簡易にして安定した支持構造が得られる
【発明を実施するための最良の形態】
【０００９】
本発明の実施の形態を図面により説明すれば、図において符号２０はケース、２５は回転子、３０はロック部材である。
ケース２０は、上端に開口鍔２１を形成した矩形状ケースであって、このケース２０内に回転子２５が水平軸２２を支軸として反転可能に取り付けられ、ケース２０内の一側寄りに前記回転子２５へ向けて進退動するロック部材３０が配設される。このケース２０は、外ケース２３内に収納された状態で回転式扉（図示省略）の近傍の床面２４に埋設、詳しくは、ケース２０の上端表面つまり開口鍔２１の上面２１ａが床面２４と略面一になるように埋設して使用される（図１、図２参照）。
【００１０】
回転子２５は、略半円形であり、全体がケース２０内に収容されて床面２４下に位置する格納状態（図１参照）と、ケース２０から床面２４上に突出した使用状態（図２参照）との間を１８０度反転自在である。この回転子２５は、前記格納状態においてケース２０の開口鍔２１の上面２１ａと面一である。また、回転子２５は、外周面の両端縁に切欠段部を形成してそれぞれ係止縁２６ａ，２６ｂとし、その係止縁２６ａ又は２６ｂにロック部材３０が係止して回転子２５を格納状態または使用状態に固定するようにする。
【００１１】
また、ケース２０内には、前記ロック部材３０を配置する一側寄りの対向する内面に、一対の支持板２７を溶接等により接合して固着し、その両支持板２７，２７に跨ってロック部材３０を可動状に載承する。各支持板２７は、上端に水平なガイド面２７ａを有するとともに内端に抜け止め用の停止縁２７ｂを僅か突出状に設ける。
【００１２】
ロック部材３０は、下部両側に段差状の載せ面３１を形成し、前記支持板２７のガイド面２７ａ上に跨るように載せ面３１を載承して取り付け、ガイド面２７ａに沿って水平方向へ移動、詳しくは前記回転子２５へ向けて進退動するようにする。このロック部材３０の退動側端部にはスプリング３２を突出状に取り付け、そのスプリング３２をケース２０の内壁に当接させることにより、ロック部材３０を回転子２５に向けて前進する方向へ付勢させておく。また、ロック部材３０の前進側端面には係止爪３３を突設し、ロック部材３０が前進したときに係止爪３３が、格納状態にある回転子２５の前記係止縁２６ａまたは使用状態にある回転子２５の前記係止縁２６ｂに係止して回転子２５を当該各状態で固定するようにする。
【００１３】
上記ロック部材３０の上面部は、ケース２０の開口鍔２１の上面２１ａと面一な操作面３４と、それより一段低く形成した塞ぎ面３５とにより構成し、その塞ぎ面３５をケース２０の上端裏面つまり開口鍔２１の裏面２１ｂに摺接するように配置される。
操作面３４は、開口鍔２１との間に可動区間を残して配置され、操作面３４の上面にはコイン等を差し入れ可能な凹溝３６を設けておき、回転子２０の固定を解除するためにロック部材３０を退動させる際の補助となるようにする。
【００１４】
而して、図１に示す回転子２０の格納状態から図２に使用状態とするには、ロック部材３０の操作面３４を退動方向へ押し動かして係止爪３３を回転子２０の係止縁２６ａから離脱させる。すなわち、ロック部材３０を退動させることによって回転子２０の固定状態を解除させ、その状態で、回転子２０の他端側を指等で押し下げることにより回転子２０を反転させて使用状態に変位させればよい。回転子２０の反転の途中または反転終了後にロック部材３０の操作面３４から指等を離すことによって、ロック部材３０がスプリング３２の付勢力により前進するので、反転終了位置に達した係止縁２６ｂが係止爪３３に係止して回転子２０は再び固定状態となる。また、図２の使用状態から図１の格納状態に反転させる場合も同様の操作により行われる。
そして、上記格納状態および使用状態の何れにおいても、ロック部材３０の塞ぎ面３５が開口鍔２１の裏面２１ｂに当接していることにより、ロック部材３０の操作面３４と開口鍔２１との間は、常に閉塞された状態が維持されている。また、ロック部材３０の段差状載せ面３１が支持板２７のガイド面２７ａに載承されるので、ロック部材３０の下端部が両支持板２７，２７間に可動状に支持され、ロック部材３０は安定して水平方向へ移動可能な支持構造が得られる。
【００１５】
なお、上記実施の形態における回転子２０については、特にその形状等が制限されるものではないが、前述の特許文献１に記載の打ち抜き形状とすることもよく、あるいは図６に例示するように、金属部分を半円形の１／２半部とし、その外周および他の半部にゴム材４０を焼付け等により被着し、全体として略半円形の回転子２５’とすることもよく、それにより円滑な反転操作を確保することができる。
【図面の簡単な説明】
【００１６】
【図１】本発明の回転式扉の開放保持装置であって、回転子の格納状態を示す断面正面図である。
【図２】同回転子の使用状態を示す断面正面図である。
【図３】本発明の要部を拡大した断面正面図であって、ロック部材を解除した状態の断面正面図である。
【図４】図３における（４）―（４）線に沿う断面側面図である。
【図５】本発明装置の分解斜視図である。
【図６】本発明における回転子の他の具体例を示す正面図である。
【符号の説明】
【００１７】
２０：ケース
２１ａ：開口鍔の上面（ケースの上端表面）
２１ｂ：開口鍔の裏面（ケースの上端裏面）
２４：床面
２５：回転子
２７：支持板（案内部材）
２７ａ：ガイド面
３０：ロック部材
３４：操作面
３５：塞ぎ面
【図１】
0004958716.tif 000002
【図２】
0004958716.tif 000003
【図３】
0004958716.tif 000004
【図４】
0004958716.tif 000005
【図５】
0004958716.tif 000006
【図６】
0004958716.tif 000007